(57)【要約】      （修正有）【課題】便座との接触を繰り返しても脚ゴムが外れにくい便蓋および便蓋用脚ゴムを提供する。【解決手段】便蓋２は便蓋本体２の便座３と対向する内面側に、脚ゴム固定部１０を便蓋回動部４側に傾斜突出させて、その脚ゴム固定部１０に脚ゴム２０を取り付ける構造としている。【選択図】図３
2008093185.tif 000002
【特許請求の範囲】
【請求項１】
便蓋本体の便座と対向する内面側に、脚ゴム固定部を傾斜突出させていることを特徴とする便蓋。
【請求項２】
請求項１において、
上記脚ゴム固定部は、ボウル部後方に向けて傾斜形成されていることを特徴とする便蓋。
【請求項３】
請求項２において、
上記便蓋本体は、閉したときに便座全体を隠蔽する周壁を備え、該周壁の前端部は上記脚ゴム固定部と略同一の傾斜角度に形成されていることを特徴とする便蓋。
【請求項４】
請求項１〜３のいずれかに記載の脚ゴム固定部に嵌着させる取付部を有した便蓋用脚ゴム。
【発明の詳細な説明】
【技術分野】
【０００１】
本発明は、洋風便器に使用される脚ゴムを取り付けた便蓋および便蓋用脚ゴムに関するものである。
【背景技術】
【０００２】
従来の洋風便器に使用される便蓋は、その内面の適所に複数の脚ゴムを設けて、便蓋が起立状態から閉じたときに便座との衝突による衝撃を吸収し、倒伏状態にあるとき便座に当接し便蓋を支持するようにしている。この脚ゴムは便蓋に対し、接着剤を用いて接着させるか、あるいは便蓋側に設けた脚ゴム固定部に嵌着させて固定した構造となっている。次の特許文献には、脚ゴムを嵌着により便蓋に取り付けた脚ゴム固定構造が開示されている。
【特許文献１】特開平０８−０７１０１８号公報
【発明の開示】
【発明が解決しようとする課題】
【０００３】
ところが、接着剤を用いた固定では接着剤の経時変化により容易に外れてしまい、一方、便座に対して垂直に突出させた突起状の脚ゴム固定部に脚ゴムを嵌着固定するものでは、その脚ゴム固定部の高さが脚ゴムの厚さに律せられるため、脚ゴムを薄厚にするほど、当然に脚ゴムと脚ゴム固定部との接合面積は小さくなり、便蓋に取り付けた脚ゴムが便座表面との衝突や接触を繰り返すうちに外れてしまう可能性は高い。
【０００４】
特に、便蓋の回動軸が便座の回動軸より後方にある場合、便蓋と便座を同時に閉じる回動動作中には、便座表面が脚ゴムに対してボウル部前方に向けて擦れるため、脚ゴムはよけいに外れやすくなる。
【０００５】
本発明は、このような問題を解決するために提案されたもので、その目的は、便座との接触を繰り返しても脚ゴムが外れにくい便蓋および便蓋用脚ゴムを提供することにある。また、金型成形しやすく、かつスカートと組み合わせたときに美観にすぐれた便蓋を提供することを第２の目的とする。
【課題を解決するための手段】
【０００６】
上記目的を達成するために、請求項１に記載の便蓋は、便蓋本体の便座と対向する内面側に、脚ゴム固定部を傾斜突出させていることを特徴とする。
【０００７】
請求項２に記載の便蓋は、脚ゴム固定部がボウル後方に向けて傾斜形成されていることを特徴とする。
【０００８】
請求項３に記載の便蓋は、便蓋本体が閉したときに便座を全体を隠蔽する周壁を備え、周壁の前端部が脚ゴム固定部と略同一の傾斜角度に形成されていることを特徴とする。
【０００９】
請求項４に記載の便蓋用脚ゴムは、請求項１〜３のいずれかに記載の脚ゴム固定部に嵌着させる取付部を有している。
【発明の効果】
【００１０】
請求項１〜４に記載の本発明によれば、便蓋本体の内面側に突出形成させた脚ゴム固定部が傾斜しているので、脚ゴムと垂直に接合するものに比べて接合面積を大きくすることができ、そのため開閉操作を繰り返しても脚ゴムは外れにくい。
【００１１】
請求項３に記載の便蓋によれば、周壁の前端部が脚ゴム固定部と略同一の傾斜角度に形成されているため、便蓋の金型成形を容易に行える。また、周壁前端部には下方に向いた傾斜面が形成されるので、開操作のときにはその傾斜面を手で捕捉すれば便蓋を持ち上げやすい。
【発明を実施するための最良の形態】
【００１２】
以下に、本発明の実施の形態について、添付図面を参照しながら説明する。
【００１３】
図２は、本発明の一例である便蓋を使用した洋風便器の便蓋開状態を示す斜視図である。
【００１４】
この洋風便器１は、便蓋２、便座３、ボウル部６、スカート部７を有している。また、便蓋２、便座３の開閉用に共通または個別の回動部を有している。本例では、便蓋２用、便座３用に個別の便蓋回動部４、便座回動部５を備えている。なお、８は人体検知センサーである。
【００１５】
また、スカート部７は、取付固定されたボウル部６を包囲するように取り付けられるが、容易に取り付けられるように、前方スカート７ａと後方スカート７ｂに分離形成されている。
【００１６】
この洋風便器１は、便蓋２、便座３、ボウル部６がＡＢＳ、アクリルなどの樹脂で製されているが、ボウル部６は経年劣化を考慮して陶器より製されたものであってもよい。
【００１７】
便蓋２は、倒伏状態に閉じたときにボウル部６、便座３を上方より覆い隠す板部２ａと、倒伏状態のときに便座３を側方より包囲、隠蔽する周壁２ｂとを備えている。なお、周壁２ｂは便蓋回動部４側を除く全周に形成されている。また、図中の２ｃは周壁２ｂの前端部を示している。
【００１８】
なお以下では、便蓋２、便座３の回動部４、５側をボウル部６後方、先端側をボウル部前方という。
【００１９】
図２に示すように、便蓋２の便座３と対向する内面側には、複数の脚ゴム２０、２０・・・が配設されており、これら脚ゴム２０は、便蓋２を起立状態から倒伏状態に回動したときに、便座３との衝突による衝撃を吸収し、衝突音を小さくし、かつ便蓋２、便座３双方が傷付くことを防止するとともに、倒伏状態にあるときに便蓋２そのものを支える機能を有する。また、脚ゴム２０を設けることによって、便蓋２の周壁２ｂが便器本体（リム上面）と直接接触しないように調節でき、接触による便蓋２の損傷、汚れの付着を防止できる。
【００２０】
この脚ゴム２０は、ゴムまたはエラストマーなどの柔軟な弾性体で製されており、かりに便蓋２を倒伏した状態で便蓋２に人が腰をかけても、脚ゴム２０の取付位置を中心として割れたり変形したりしないように、厚さ数〜１０ミリ程度のものが、複数箇所にバランスよく配設されている。
【００２１】
図１は、本発明の便蓋２の脚ゴム固定構造を説明するための図で、（ａ）は脚ゴム２０の取付時の斜視図、（ｂ）は同縦断面図である。また、図３（ａ）は便蓋２と便座３の回動動作を示した縦断面図、（ｂ）は便蓋２と便座３の閉回動時の接触状態を示した拡大断面図であり、図４（ａ）は洋風便器１の便蓋２開状態の左側面図、（ｂ）は便蓋２閉状態の左側面図である。
【００２２】
便蓋２は、便蓋２を閉じたとき便座３に対向する面の数箇所に、脚ゴム２０を取り付けるための先端を開口させた円筒状の脚ゴム固定部１０が、ボウル部６後方に向けて傾斜させて突出形成されており、各脚ゴム固定部１０の外周を取り囲むように、長丸状の環状リブ１１が突出形成されている。
【００２３】
一方、脚ゴム２０は脚ゴム固定部１０を受容する取付部（取付凹部）２１を備え、その取付凹部２１には、そのくぼみの底部より中空部２１ｃを有した嵌合突起２１ａが突出形成され、さらにその嵌合突起２１ａの外周には抜け止め防止のために環状小突起２１ｂを一定間隔で複数条、突出形成している。また、脚ゴム２０の上方周縁には周溝２２を形成しており、便蓋２側に形成した環状リブ１１に嵌入させることによって、脚ゴム２０の取付後の回転ずれを防止している。
【００２４】
脚ゴム２０を便蓋２に取り付ける際には、脚ゴム２０を図１（ａ）の矢印の方向に押し込んで、脚ゴム固定部１０を脚ゴム２０の取付凹部２１に挿入する。そうすると、脚ゴム固定部１０が取付凹部２１に嵌着されると同時に、脚ゴム２０側の嵌合突起２１ａが脚ゴム固定部１０の中空部１０ａに嵌入され、このとき環状小突起２１ｂが弾性変形して脚ゴム固定部１０の中空部１０ａ内面に圧着されるので、脚ゴム２０と脚ゴム固定部１０とは密接に接合される。
【００２５】
このように、傾斜形成された脚ゴム固定部１０が脚ゴム２０の取付凹部２１に嵌着されるので、脚ゴムの厚みを同一にして脚ゴム固定部を垂直に突出形成したものより、脚ゴム固定部１０と脚ゴム２０との接合面積を大きくすることができ、そのため両者の接合をより強固にできる。
【００２６】
また、脚ゴム固定部１０を中空にして、脚ゴム２０側の嵌合突起２１ａをその中空部１０ａに嵌め入れる構造としているため、接合面積はさらに大きくなり、そのためさらに強固に接合できる。
【００２７】
この脚ゴム固定部１０は、脚ゴム２０の抜け止めを防止するためにボウル部６の前方や側方に向けて傾斜されていてもよいが、本例で示した洋風便器１に採用する場合には、ボウル部６後方に向けて傾斜させることが望ましい。その理由について図３を参照しながら説明する。なお本例では、図３に示すように、脚ゴム固定部１０は便蓋２の周壁前端部２ｃとほぼ同じ角度に傾斜形成されているが、これについても後述する。
【００２８】
上述したように、本例で示した洋風便器１は、便蓋２、便座３用にそれぞれの回動部（回動軸）４、５を備えている。そのため、図３に示すように、起立状態にある便蓋２、便座３を、便蓋２を押し倒すことによって同時に閉じようとすると、便蓋２と便座３とは、便蓋２の内面と便座３の表面が擦れ合うように同時に回動する。
【００２９】
より具体的には、図３（ｂ）の閉回動中の拡大図に示すように、脚ゴム２０と便座３とは接触した状態で、便蓋２（脚ゴム２０）は便座３に対しＡ方向に摺動し、便座３は便蓋２に対しＢ方向に摺動する。つまり、脚ゴム２０にＢ方向へ便座３が擦れながら、便蓋２と便座３の前端が近づくように回動する。なお、このような脚ゴム２０と便座３とが擦れるように動作するのは回動軸がずれているからであるが、特に水平方向にずれている関係上、摩擦力は、便蓋２、便座３が起立状態に近い閉じ始めの段階に最も強く作用する。
【００３０】
したがって、かりに脚ゴム固定部１０がボウル部６の前方に向けて傾斜を形成していれば、閉じ始めのときには回動により便座３はボウル部６の前方にずれ動き、摩擦力が強く作用して脚ゴム２０が外れるおそれがあるが、本例では脚ゴム固定部１０がボウル部６の後方側に傾斜されているため、摩擦力は接合を強化する方向に作用する。そのため、便座３との接触により脚ゴム２０が外れるおそれはほとんどない。
【００３１】
また、便蓋２、便座３を同時に開く回動動作でも、閉じるときとは逆向きの摩擦力が作用するはずであるが、そもそも便蓋２と便座３とを同時に開けることは同時に閉じることよりはるかに少なく、逆向きの摩擦力は発生しにくく、摩擦力よって脚ゴム２０が外れやすくなることは少ない。
【００３２】
さらに、便蓋２の周壁前端部２ｃは、図４（ｃ）に示すように、側面視したときに前方スカート７ａの前端の延長上に略同一角度の傾斜面を形成しており、それにより、便蓋２を閉じたときスカート部７と便蓋２が一体的な形状になり、便器全体を直線的かつシンプルなシルエットにすることができる。また、周壁前端部２ｃが床面に向けた傾斜面を形成しているので、手操作で便蓋２を開くときには、手をその傾斜面にあてがえば、滑ることなく少ない力で便蓋２を持ち上げることができる。
【００３３】
また、この周壁前端部２ｃの傾斜角度と、脚ゴム固定部１０の傾斜角度を略同一にすれば、金型による便蓋２の成形がいちだんとしやすくなる。
【図面の簡単な説明】
【００３４】
【図１】本発明の便蓋の脚ゴム固定構造の説明図で、（ａ）は脚ゴムの取付時の斜視図、（ｂ）は同縦断面図である。
【図２】本発明の一例である便蓋を使用した洋風便器の便蓋開状態を示す斜視図である。
【図３】本発明の便蓋の動作説明図である。
【図４】（ａ）は洋風便器の便蓋開状態の左側面図、（ｂ）は便蓋閉状態の左側面図である。
【符号の説明】
【００３５】
１      洋風便器
２      便蓋、便蓋本体
２ａ      板部
２ｂ      周壁
２ｃ      周壁前端部
３      便座
４      便蓋回動部
５      便座回動部
６      ボウル部
１０      脚ゴム固定部
１１      環状リブ
２０      脚ゴム
２１      取付部
２１ａ      嵌合突起
２１ｂ      環状小突起
２２      周溝
【図１】
2008093185.tif 000003
【図２】
2008093185.tif 000004
【図３】
2008093185.tif 000005
【図４】
2008093185.tif 000006